(57)【特許請求の範囲】
【請求項１】
可撓性の押出し可能な容器に装着する容器口装着部を有するキャップ本体と、該キャップ本体の上方に突出して該キャップ本体と一体に成形されてなる塗布ノズルを有し、且つ該ノズル先端部に弱化部を介して該ノズル先端部を閉塞している開口折り片を一体成形してなり、前記弱化部の周辺のノズル先端部に、前記開口折り片の基部を挟んで前記弱化部の位置よりも高い凸部を対向して２個設けてなり、該凸部は外面が前記塗布ノズル外周面から延びていることを特徴とする塗布ノズル付きキャップ。
【発明の詳細な説明】
【０００１】
【発明の属する技術分野】
本発明は、例えば液体染毛剤等の容器に適用して、使用時に塗布口を開口して直接髪に当て液体染毛剤等を髪等に塗布できるようにした塗布口付きキャップに関する。
【０００２】
【従来の技術】
液体染毛剤や養毛剤等が入っている容器のノズル口を頭髪又は頭皮に当てて、液体染毛剤や養毛剤等を容器から直接頭髪又は頭皮に適用できるようにした容器は従来から知られている。このような容器は、一般に流通時の密封を保つための密封用キャップと、使用時に密封用キャップに代えて容器口に装着して頭に当てて内容液を塗布するための塗布用ノズル部材（アダプタ部材）の２部材から構成されている。塗布用アダプタ部材としては、例えば特開平１１−１９６９２６号公報に記載されたものなどが知られている。一方、液体や粘稠物等を直接容器から対象物上に注出又は塗布するようにしたノズル付き容器も良く知られており、これらの容器の場合は、ノズル先端部に設けた折取り用突起を折り取ることによりノズル先端部が開口するようになっている（例えば、実公平１−２０２９４号公報、特開平５−２７０５７７号公報等）。
【０００３】
【発明が解決しようとする課題】
従来の塗布ノズル付きキャップの場合は、流通時の密封用キャップと使用時の塗布用ノズル部材の２部材を必要とするため、コスト高になる問題点がある。一方、ノズル先端部を折り取って注出口を開口するものは、１部材で構成することができるが、ノズル先端の突起を折って注出口を開口した後にバリができ、直接頭皮に内容液を塗布すると、そのバリが頭皮を刺激したり、傷付けるおそれがあり、頭皮や頭髪に直接内容物を塗布する容器用には適さない問題点がある。また、ノズル先端縁が開口して注出口となっている場合、頭皮等に直接ノズル先端部を当てると、注出口が頭皮によって塞がれてしまい、注出が悪くなり塗布性が悪くなる欠点がある。また、液体染毛剤容器のように、内容液を少量ずつ流出する場合には、注出口先端の大きさが制限され、小径に成形しなければならないため、自ずから弱化部の直径も小さくならざるを得ない。一方、折取り用突起を指で押し倒して弱化部より容易に折り取るためには、折取り用突起を適度の強度を持たせるためにその直径を大きく成形する必要がある。そのため、弱化部の直径より折取り用突起の外径の方が大きくなり、成形時に弱化部がアンダーカット部となり、無理抜きすると弱化部が破断してしまう恐れがあり、成形が困難であるという問題点がある。
【０００４】
本発明は、上記実情に鑑み創案されたものてあって、液体染毛剤や養毛剤等直接塗布個所に塗布する内容物が入っている容器に適用するキャップであって、１部材で輸送時の密封性と使用時の塗布ノズルを兼ねることができてコストの低減を図ることができ、しかも開口したノズル先端部を直接頭皮に当てても頭皮を過度に刺激したり傷付けたりする恐れがなく、良好に注出することができ、且つ成形性も良好な塗布ノズル付きキャップを提供することを目的とする。
【０００５】
【課題を解決するための手段】
上記問題点を解決する本発明の塗布ノズル付きキャップは、可撓性の押出し可能な容器に装着する容器口装着部を有するキャップ本体と、該キャップ本体の上方に突出して該キャップ本体と一体に成形されてなる塗布ノズルを有し、且つ該ノズル先端部に弱化部を介して該ノズル先端部を閉塞している開口折り片を一体成形してなり、前記弱化部の周辺のノズル先端部に、前記開口折り片の基部を挟んで前記弱化部の位置よりも高い凸部を対向して２個設けてなり、該凸部は外面が前記塗布ノズル外周面から延びていることを特徴とするものである。
【０００６】
前記凸部は前記弱化部を挟んで対向して２個設け、該凸部の対向する内面が互いに平行する平坦面となるように構成することによって、成形型を割型に構成することが可能となり、前記弱化部がアンダーカットとならずに成形時の型抜きが容易となり、しかも使用に際して注出された内容液の流れを制御し、所定個所への適用が容易となると共に内容液の流れを円滑にすることができる。また、前記凸部の頂部を平坦状にし且つその角部をアール状に縁取りすることによって、凸部の頭皮への当たりがよりスムーズになり好ましい。
【０００７】
【発明の実施の形態】
以下、本発明の実施形態を詳細に説明する。
図１〜図４は本発明の実施形態に係る塗布ノズル付きキャップを示し、図中１は、容器への装着部（図の実施形態では螺着）２を有するキャップ本体であり、その上部に円錐台状の塗布ノズル３が形成されている。該塗布ノズルの上端の台部４には、ノズル内壁５の先端部内径よりも外径が大きく且つ先端部外径よりも小さい外径を有する棒状の開口折り片６が弱化部７を介して上方に突出して一体に形成されている。液体染毛剤容器のように内容液を少量ずつ流出する場合には、注出口先端を小径に成形しなければならないが、折取り用突起を適度の強度を持たせるためにその直径を大きく成形してある。該開口折り片６の基部には充填ノズル内壁に続く凹部８が形成されている。従って、該開口折り片６を弱化部から折り取ると、同図（ｂ）に示すように、ノズル先端台部中央に注出口９が開口することになる。なお、開口折り片６は、開口時の指係りをよくするためにその頭部１０がやや径大の球状に形成されている。
【０００８】
台部４には、図１（ａ）の断面図に示すように、前記開口折り片６の基部を挟んで、対向して所定間隔を有して平行する一対の凸部１１が設けられている。該凸部１１は、その頂部が少なくとも前記弱化部よりも上方に位置するような高さに形成され、外面がノズル外周面である円錐面から延び、対向する内面壁１２が平坦面となってなっていて、該内面壁１２が図２において台部４を横断する溝１３を形成している。該溝１３が内容物塗布時に注出口９と頭皮との隙間を作って内容物の注出を可能とし、且つ内容物を一方向に案内する案内溝となり、塗布方向を的確に制御することができる役目を果たす。そして、凸部１１の頂部１４は、図３に示すように、平坦状になっており且つその角部１５はアール状に縁取りされていて、頭皮への当たりを緩和し、また適度な刺激を与えるように工夫されている。
【０００９】
本実施形態の塗布ノズル付きキャップは以上のような構造を有し、合成樹脂で一体成形して製造される。塗布ノズルの凸部１１は前記のように対向する内面壁が平坦面となっており、その両端が台部を横断して開放状態となっているので、成形時の型抜きを容易にすることができる。
【００１０】
以上のように構成された本実施形態の塗布ノズル付きキャップは、例えば可撓性の押出し可能な液体染毛剤容器に適用し、流通時は該キャップを容器口のねじと螺合することにより、容器を密封することができ、使用時には開口折り片６を指で押し倒して弱化部７より折り取ることによって、図１（ｂ）に示すように注出口９が開口し、内容液が注出可能となる。使用に際して頭皮にノズル先端部を、例えば髪の流れ方向と台部４の溝１３の方向が一致するように当てて、容器をスクイズすることにより、液体染毛剤が注出口から注出し、この状態で髪の流れに沿ってノズルを移動することにより、髪に液体染毛剤を均一に塗布することができる。
【００１１】
その場合、凸部１１の頂部１４が弱化部７よりも高い位置にあるので、破断した弱化部により注出口周辺にバリができていても、使用に際してバリが直接頭皮に当たることがなくなり、頭皮を傷つけるおそれがなく安全である。そして、凸部は上記のように角部がコーナーとなっていて、全体として滑らかになっているので、頭皮に当てると適度の刺激を与えマーサージ効果をもたらすことができる。しかも凸部の存在によって注出口と頭皮との間に間隙が形成されるので、注出口が頭皮に当たって注出口が閉塞されるようなことがなく、良好に液体染毛剤を注出させることができる。さらに、凸部の内面が内容液の流れを制御する溝を形成するので、注出口から注出された液体染毛剤の流れを制御し、該溝を髪の向きと一致させれば、該溝に髪が嵌合して櫛と同様な機能を果たし、髪に良好に塗布できる。従って、本実施形態の塗布ノズル付きキャップは、一部材で従来の塗布アダプターとしての機能を果たすと共に、流通時の密封部材としての機能も果たす。
【００１２】
以上、本発明の実施形態について説明したが、本発明は上記実施形態に限らず種々の設計変更が可能である。例えば、上記凸部の形状は上記形状に限らず、頂面が円弧形状等にしてもよく、またその個数は２個に限定されるものではない。
【００１３】
【発明の効果】
以上のように本発明の塗布ノズル付きキャップによれば、１部材で輸送時の密封性と使用時の塗布ノズルを兼ねることができてコストの低減を図ることができ、しかも使用に際して開口折り片の折り取りにより発生するバリが直接頭皮等の塗布個所に当たることがなく、刺激を緩和して皮膚を傷付けたりする恐れがなく、且つ良好に注出することができる。また、請求項２の発明によればさらに、凸部の内面が内容液の流れを制御する溝を形成するので、注出口から注出された内容液が該溝に沿って流れ、例えば、液体染毛剤容器に適用すれば髪に良好に液体染毛剤を塗布できる。
【図面の簡単な説明】
【図１】本発明の実施形態に係る塗布ノズル付きキャップの断面図あり、（ａ）は開口折り片がついている状態での全体断面図、（ｂ）は開口した状態での用部断面図ある。
【図２】その平面図である。
【図３】その正面図である。
【図４】その側面図ある。
【符号の説明】
１  キャップ本体                    ２  装着部
３  塗布ノズル                      ４  台部
６  開口折り片                      ７  弱化部
９  注出口                        １１  凸部
１２  内面壁                        １３  溝
【図１】
0004818502.tif 000002
【図２】
0004818502.tif 000003
【図３】
0004818502.tif 000004
【図４】
0004818502.tif 000005